【事件の表示】
　特願２００３−３８６３５２「パチンコ機の球詰まり解消装置」拒絶査定不服審判事件〔平成１６年　２月１２日出願公開、特開２００４−　４１８１０〕について、次のとおり審決する。
【結　論】
　本件審判の請求は、成り立たない。
【理　由】
　　　
第一、手続きの経緯
　本願は、平成７年４月１９日に出願した特願平７−９３９８８号の一部を平成１５年１１月１７日に新たな特許出願としたものであって、平成１８年７月１４日付けで拒絶理由が通知され、これに対し、同年９月２１日付けで手続補正がなされ、平成１９年３月２３日付けで拒絶査定がなされ、これに対し、同年４月１６日に拒絶査定に対する審判請求がなされるとともに、同日付け手続補正書によって明細書の一部が補正されたものである。
　
第二、平成１９年４月１６日付けの手続補正についての補正却下の決定
［補正却下の決定の結論］
　平成１９年４月１６日付けの手続き補正を却下する。
［理由］
　（１）補正後の本願発明　　
　平成１９年４月１６日付け手続補正書による補正（以下、「本件補正」という。）により、特許請求の範囲の請求項１は、
「　内枠の裏面に設けられかつ補給系統から供給される遊技球を貯める上タンクと、内枠の裏面に設けられかつ上タンクから自重で供給される遊技球をカウントスプロケットで受け取る賞球排出機構と、内枠の裏面に設けられかつ上タンクから賞球排出機構に供給される球の通路に対する球の有無を検出する賞球検出スイッチと、内枠の裏面に設けられかつ球の上タンクから賞球排出機構に供給される通路に対する球の有無を検出するタンクスイッチと、内枠の裏面に設けられかつ上タンクから賞球排出機構に供給される球の通路にモータによるアンバランスウエイトの偏心回転運動で振動を発生するバイブレータ装置と、バイブレータ装置のモータを制御する制御装置とを備え、タンクスイッチとバイブレータ装置と賞球検出スイッチとが球の上タンクから賞球排出機構に供給される方向の上流側から下流側に順に配置されるように上タンクから賞球排出機構に供給される球の通路に対して設けられており、タンクスイッチからの球有検出信号と賞球検出スイッチからの球無検出信号とが制御装置に入力された場合、制御装置がバイブレータ装置のモータを回転駆動してバイブレータ装置を振動させた後にバイブレータ装置のモータの回転駆動の開始からの所定時間の経過または賞球検出スイッチからの下流側球有検出信号の入力かのいずれか早い方によって上記バイブレータ装置のモータの回転駆動を停止することを特徴とするパチンコ機の球詰まり解消装置。」と補正された。
　
　本件補正は、補正前（平成１８年９月２１日付け手続補正により補正された特許請求の範囲）の（請求項１を引用する）請求項２に記載されたバイブレータ装置を振動させる機構について、「タンクスイッチからの上流側球有検出信号と賞球検出スイッチからの下流側球無検出信号とにより上タンクから賞球排出機構に供給される球の通路に球詰まりの発生したことを判定する判定手段と、この判定手段からの球詰まりの発生の判定によりバイブレータ装置のモータを所定時間回転駆動してバイブレータ装置を振動させる振動開始手段」及び「モータの回転駆動開始後における賞球検出スイッチからの下流側球有検出信号によりモータの回転駆動を所定時間以前でも停止する振動停止手段」を、「タンクスイッチからの球有検出信号と賞球検出スイッチからの球無検出信号とが入力された場合、制御装置がバイブレータ装置のモータを回転駆動してバイブレータ装置を振動させた後にバイブレータ装置のモータの回転駆動の開始からの所定時間の経過または賞球検出スイッチからの下流側球有検出信号の入力かのいずれか早い方によって上記バイブレータ装置のモータの回転駆動を停止する」と限定するものであるから、本件補正は、特許請求の範囲の減縮を目的とするものに該当する。
　
　（２）そこで、本件補正後の前記請求項１に記載された発明（以下、「本願補正発明」という）が特許出願の際独立して特許を受けることができるものであるのか（平成１８年法律第５５号改正附則第３条第１項によりなお従前の例によるとされる同法による改正前の特許法第１７条の２第５項において準用する同法第１２６条第５項の規定に適合するか）について以下に検討する。
　
　（３）原査定の拒絶理由通知に引用された刊行物に記載された発明
刊行物１；特開平５−２３７２４２号公報
刊行物２；特開平７−９６０７７号公報（平成７年４月１１日公開）
　
　特開平５−２３７２４２号公報（以下、「引用刊行物１」という。）には、以下の記載がある。
　（１ａ）「【００１３】図２には、パチンコ遊技機１０の球の排出部を具えた裏機構の一実施例を示す。図２において、２００は賞球および貸し球を排出する球排出装置、６００は遊技領域１９の入賞部中への球の入賞を検出する入賞検出器等からの信号に基づいて前記球排出装置２００を制御して所定数の賞品球又は貸し球を排出させる球排出制御装置、８１１は排出される前の予備球を貯留しておく貯留タンク、８１２は貯留タンク８１１内から流下する球を整列させて前記球排出装置２００の直上の誘導樋８４０まで誘導する誘導樋である。この誘導樋８１２には、特に制限されないが、短時間に多量の球を供給できるように球を排出させる排出流路が２条形成されている。そして、その上流側には球崩し装置（後述）が設置され、下流側には球詰まり検出センサ（後述）が設置されている。」、　
　（１ｂ）「【００１６】裏機構は上記のように構成されていて、賞球や貸し球は球排出制御装置６００からの指令で球排出装置２００によって供給皿１２又は受皿１７に行われるようになっている。
【００１７】図３、図４および図５には球排出装置２００の一実施例を示す。・・・この球排出装置２００は、球の流下の制御を行なう球排出制御機構部２００Ａと、球を流下させる流下案内部２００Ｂとから構成されている。
【００１８】そして、前記球排出制御機構部２００Ａは、相互に結合された一対の半割りケース２１１，２１２内に、球送り部材２２０、回転制御装置としてのストッパ装置２３０およびチェック基盤２４０が収納されて構成されている。」、
　（１ｃ）「【００２５】一方、前記流下案内部２００Ｂはその上流の前記誘導路８４０からの球を検出しながらその下流の球排出樋８１３に流下案内するもので、球を流下案内する排出樋２５０と、該排出樋２５０の下側に取付枠２７０を介して取り付けられて前記球排出樋８１３内の球を検出する検出基盤２６０と、同排出樋２５０を振動させる球崩しソレノイド２８０とから構成されている。」、
　（１ｄ）「【００２７】上記のように構成された排出樋２５０が取付片２５５，２５６を介して前記一対の半割りケース２１１，２１２の後部から下部に沿って取り付けられている。この取り付けられた状態において、半割りケース２１１，２１２の各隔壁板２１１ｈ，２１２ｈが排出樋２５０の各流下案内壁２５０ａ，２５０ａの内側に球１個分以上隔てた状態に位置して２条の排出通路２５９ａ，２５９ｂが画成されている。」、
　（１ｅ）「【００３４】この状態で、貯留タンク８１１中の球が誘導樋８１２および誘導樋８４０を介して球排出樋２５０の２条の排出通路２５９ａ，２５９ｂ中に流入すると、その球は球送り部材２２０の左右のスプロケット２２１，２２２によりストップされる。・・・
【００３５】この状態で、球排出制御装置６００から球の排出指令があると、前記排出電磁石２３４がオン（ＯＮ）・オフ（ＯＦＦ）作動される。そして、その１回のオン（ＯＮ）・オフ（ＯＦＦ）作動につき、球送り部材２２０が３０゜ずつの回転を容認され、その３０゜ずつの回転に伴って球排出樋２５０の左右の排出通路２５９ａ，２５９ｂから球が１つずつ交互に排出される。」、
　（１ｆ）「【００４１】図１２には、貯留タンク８１１および誘導樋８１２の縦断背面図を示す。同図に示すように、貯留タンク８１１の下流側端壁部には、球無し検出器４１０が設置されている。・・・
【００４２】球無し検出器４１０は上記のように構成されていて、貯留タンク８１１内に球が満たされているときには、・・・球有り状態が検出される。が、貯留タンク８１１内に球が無くなるか、或は少なくなったときに、・・・球無し状態が検出される。この球無し状態が検出されたときには、その検出信号がパチンコ遊技店内等に設置された管理装置（図示省略）に送られ、その管理装置からの指令で貯留タンク８１１に球の補給がなされる。
【００４３】また、誘導樋８１２の下流側底部に球詰まり検出器４２０が設置される一方、その上流側端部に球崩し装置４３０が設置されている。より詳しく説明すると、前記球詰まり検出器４２０は、例えば、前記誘導樋８１２の下流側底部の開口部にピン４２１により回動自在に設置された検出片４２２と、該検出片４２２を検出する検出センサ４２３とから構成されている。・・・
【００４４】一方、前記球崩し装置４３０は誘導樋８１２中に一部を突出させた状態に配されたスプロケット４３１と該スプロケット４３１を回転させるモータ４３２とから構成されている。
【００４５】球詰まり検出器４２０および球崩し装置４３０は上記のように構成されていて、誘導樋８１２に球が満たされて検出片４２２上に球があるときには、その球の重みで検出片４２２が、その自由端側の検出部４２２ａが検出センサ４２３内に入り込む方向に押下されて検出センサ４２３がオフ（ＯＦＦ）となることにより、球有り状態が検出される。が、誘導樋８１２の上流部の球詰まりなどで、検出片４２２上に球が無くなると、検出片４２２が前記付勢用スプリング（図示省略）の付勢力でその自由端側が上昇する方向に回動復帰されてその自由端側の検出部４２２ａが検出センサ４２３から脱して検出センサ４２３がオン（ＯＮ）となることにより、球無し状態が検出される。そして、この検出信号が前記球排出制御装置６００に送られ、その球排出制御装置６００からの指令でモータ４３２が作動されてスプロケット４３１が回転する。このスプロケット４３１の回転により誘導樋８１２の上流側の球が崩されて球詰まりが解除され、検出片４２２上に球が至るとその球の重みで球詰まり検出器４２０の検出センサ４１３（当審注；「４２３」の誤記と認められる。）がオフ（ＯＦＦ）となることにより再び球有り状態が検出される状態となる。この検出信号が前記球排出制御装置６００に送られ、その球排出制御装置６００からの指令でモータ４３２が停止された状態に戻る。」、　
　（１ｇ）「【００４６】図１３には、図１２を用いて説明した球崩し装置の第１の変形例を示す。この第１の変形例の球崩し装置４４０は、誘導樋８１２の底側開口部に設置された回動底板４４１と、該回動底板４４２に回動力を付与する駆動装置４４２とから構成されている。
【００４７】・・・
【００４８】一方、前記駆動装置４４２はモータ４４２ａと該モータ４４２ａの駆動軸４４２ｂに取り付けられたカム４４２ｃとから構成され、・・・
【００４９】・・・
【００５０】・・・
【００５１】図１５には球崩し装置の第３の変形例を示す。この第３の変形例の球崩し装置４６０は誘導樋８１２の上流側下側部に設置されたモータ４６１により回転駆動される螺旋体４６２によって構成されている。・・・
【００５２】図１６には球崩し装置の第４の変形例を示す。この第４の変形例の球崩し装置４７０は誘導樋８１２の上流側底部に臨ませて設置されたベルトコンベア装置４８０によって構成されている。このベルトコンベア装置４８０はモータ４８１と該モータ４８１の駆動力によって走行される走行ベルト４８２とによって構成されている。・・・」。　
　　　　　
　したがって、これらの記載をまとめると、引用刊行物１には、
「賞球および貸し球を排出する球排出装置２００と、遊技領域１９の入賞部中への球の入賞を検出する入賞検出器等からの信号に基づいて前記球排出装置２００を制御して所定数の賞品球又は貸し球を排出させる球排出制御装置６００と、排出される前の予備球を貯留しておく貯留タンク８１１と、貯留タンク８１１内から流下する球を整列させて前記球排出装置２００の直上の誘導樋８４０まで誘導する誘導樋８１２とから、パチンコ遊技機１０の裏機構が構成され、
　貯留タンク８１１の下流側端壁部には球無し検出器４１０が設置され、貯留タンク８１１内に球が満たされているときには球有り状態が検出され、球が無くなるか或は少なくなり球無し状態が検出されたときには、その検出信号がパチンコ遊技店内等に設置された管理装置に送られ、その管理装置からの指令で貯留タンク８１１に球の補給がなされ、
　前記球排出装置２００は、球送り部材２２０が収納されている球排出制御機構部２００Ａと、球を流下案内する球排出樋２５０が構成されている流下案内部２００Ｂとから構成され、
　前記貯留タンク８１１中の球が誘導樋８１２および誘導樋８４０を介して球排出樋２５０の２条の排出通路２５９ａ，２５９ｂ中に流入すると、その球は球送り部材２２０の左右のスプロケット２２１，２２２によりストップされ、球排出制御装置６００から球の排出指令があると、球送り部材２２０が回転を容認され、その回転に伴って球排出樋２５０の左右の排出通路２５９ａ，２５９ｂから球が１つずつ交互に排出される、パチンコ遊技機１０において、
　前記誘導樋８１２の下流側底部に、回動自在に設置された検出片４２２と該検出片４２２を検出する検出センサ４２３とから構成されている球詰まり検出器４２０が設置される一方、その上流側端部に、誘導樋８１２中に一部を突出させた状態に配されたスプロケット４３１と該スプロケット４３１を回転させるモータ４３２とから構成されている球崩し装置４３０が設置され、
　誘導樋８１２に球が満たされて検出片４２２上に球があるときには球有り状態が検出されるが、誘導樋８１２の上流部の球詰まりなどで検出片４２２上に球が無くなると、球無し状態が検出され、この検出信号が前記球排出制御装置６００に送られ、その球排出制御装置６００からの指令でモータ４３２が作動されてスプロケット４３１が回転すると、このスプロケット４３１の回転により誘導樋８１２の上流側の球が崩されて球詰まりが解除され、検出片４２２上に球が至るとその球の重みで球詰まり検出器４２０の検出センサ４２３がオフ（ＯＦＦ）となることにより再び球有り状態が検出される状態となり、この検出信号が前記球排出制御装置６００に送られ、その球排出制御装置６００からの指令でモータ４３２が停止された状態に戻るものであり、
　前記球崩し装置は、モータを備えた種々の変形例が採用可能である、パチンコ遊技機１０。」の発明（以下、「引用発明１」という。）が記載されていると認められる。
　
　特開平７−９６０７７号公報（以下、「引用刊行物２」という。）には、以下の記載がある。
　（２ａ）「【０００１】
【産業上の利用分野】本発明は、球タンク内のパチンコ球を景品球払出装置へ確実に供給できるようにしたパチンコ機に関するものである。」、
　（２ｂ）「【００１０】しかして、本発明は、図２に示すように前記タンクレール５に振動手段１１を設ける。この振動手段１１は、図３および図４に示すようにタンクレール５の外側壁５ａに着脱自在に取付ける基板１２と、該基板１２に装着される振動モータ１３によって構成される。・・・振動モータ１３の駆動によって基板１２を介してタンクレール５に振動を与えるように構成されている。」、　
　（２ｃ）「【００１２】以上のように構成された本発明のパチンコ機は、タンクレール５に球詰りが発生して屈曲レール６内のパチンコ球がなくなり球切れ検出器１０がオンすると、そ検出信号が振動手段１１に送られて振動モータ１３を駆動する。この振動モータ１３の駆動により基板１２を介してタンクレール５に振動が与えられ、これによってタンクレール５の球詰りが自動的に解消されて屈曲レール６にパチンコ球が供給される。」。
　（２ｄ）また、【図３】乃至【図５】には、「端部に半月状板状体を有する振動モータ１３」が示されている。　
　　　
　したがって、引用刊行物２には、　
「タンクレール５の外側壁５ａに、基板１２と該基板１２に装着される振動モータ１３によって構成される振動手段１１を設け、端部に半月状板状体を有する振動モータ１３の駆動により基板１２を介してタンクレール５に振動が与えられ、タンクレール５の球詰りが自動的に解消されるパチンコ機。」の発明（以下、「引用発明２」という。）が記載されていると認められる。
　　　
　（い）本願補正発明と引用発明１との比較・検討
　（い−１）引用発明１の「球」は、本願補正発明の「遊技球」に相当し、以下同様に、「貯留タンク８１１」は「上タンク」に、「球送り部材２２０」は「カウントスプロケット」に、「球排出装置２００」は「賞球排出機構」に、「誘導樋８１２および誘導樋８４０」は「上タンクから賞球排出機構に供給される球の通路」及び「球の上タンクから賞球排出機構に供給される通路」に、「球詰まり検出器４２０」は「賞球検出スイッチ」に、「球無し検出器４１０」は「タンクスイッチ」に、「モータ４３２」は「モータ」に、「球排出制御装置６００」は「制御装置」に、「モータ４３２が作動され」は「モータの回転駆動の開始」に、「球詰まり検出器４２０の検出センサ４２３がオフ（ＯＦＦ）となることにより再び球有り状態が検出される状態となり、この検出信号が前記球排出制御装置６００に送られ」は「賞球検出スイッチからの下流側球有検出信号の入力」に、「モータ４３２が停止」は「モータの回転駆動を停止」に、「パチンコ遊技機１０」は「パチンコ機」に、それぞれ相当する。
　（い−２）引用発明１の「スプロケット４３１と該スプロケット４３１を回転させるモータ４３２とから構成されている球崩し装置４３０」と本願補正発明の「モータによるアンバランスウエイトの偏心回転運動で振動を発生するバイブレータ装置」とを比較すると両者は球詰まりが検出されると作動するものであるから「球詰まり対応器具」において一致し、また引用発明１の「モータ４３２が作動されてスプロケット４３１が回転する」と本願補正発明の「バイブレータ装置を振動させ」とを比較すると両者は「球詰まり対応器具を作動させ」において一致する。
　（い−３）引用発明１の「貯留タンク８１１」には「管理装置からの指令で球の補給がなされ」るから、本願補正発明の「補給系統から供給される遊技球を貯める上タンク」に相当する技術事項を有していることは当該分野の技術常識から明らかである。
　（い−４）引用発明１の「貯留タンク８１１内から流下する球を整列させて前記球排出装置２００の直上の誘導樋８４０まで誘導する誘導樋８１２」及び「貯留タンク８１１中の球が誘導樋８１２および誘導樋８４０を介して球排出樋２５０の２条の排出通路２５９ａ，２５９ｂ中に流入すると、その球は球送り部材２２０の左右のスプロケット２２１，２２２によりストップされ」について検討すると、「貯留タンク８１１内から流下する球」が自重で流下することは技術常識から明らかであり、当該球は球排出装置２００の直上の誘導樋８４０まで誘導されるのであるから、引用発明１は本願補正発明の「上タンクから自重で供給される遊技球をカウントスプロケットで受け取る賞球排出機構」に相当する技術事項を有しているといえる。
　（い−５）引用発明１の「貯留タンク８１１の下流側端壁部には球無し検出器４１０が設置され」及び「誘導樋８１２の下流側底部に、・・・球詰まり検出器４２０が設置される一方、その上流側端部に、・・・球崩し装置４３０が設置され」について検討すると、「貯留タンク８１１内から流下する球」は誘導樋８１２により「球排出装置２００の直上の誘導樋８４０まで誘導」される、つまり「上流側に貯留タンク８１１が下流側に誘導樋８１２が配置され、球無し検出器４１０と球崩し装置４３０と球詰まり検出器４２０とが上流側から下流側に順に配置される」のであるから、引用発明１と本願補正発明とは「タンクスイッチと球詰まり対応器具と賞球検出スイッチとが球の上タンクから賞球排出機構に供給される方向の上流側から下流側に順に配置されるように上タンクから賞球排出機構に供給される球の通路に対して設けられており」に相当する技術事項を有する点で一致する。
　（い−６）引用発明１の「誘導樋８１２の上流部の球詰まりなどで検出片４２２上に球が無くなると、球無し状態が検出され、この検出信号が前記球排出制御装置６００に送られ」の事項と本願補正発明の「タンクスイッチからの球有検出信号と賞球検出スイッチからの球無検出信号とが制御装置に入力された場合」の事項とを比較すると、引用発明１の「球詰まり検出器４２０」は検出片４２２の回動により、検出片４２２上の球の有無の状態を検出するものであり、本願補正発明の「タンクスイッチ」及び「賞球検出スイッチ」は「球の有無を検出する」ものであるから、両者は「球の有無を検出するスイッチからの検出信号が制御装置に入力された場合」において共通している。
　（い−７）引用発明１の「パチンコ遊技機１０に設置された球崩し装置４３０」は、球排出制御装置６００からの指令でモータ４３２を作動させて誘導樋８１２の上流側の球詰まりを解除するものであるから、引用発明１の「球崩し装置４３０が設置される、パチンコ遊技機１０」は本願補正発明の「パチンコ機の球詰まり解消装置」に相当する事項を備えているといえる。
　　　
　そうすると、両者の一致点及び相違点は次のとおりである。
　一致点
　補給系統から供給される遊技球を貯める上タンクと、上タンクから自重で供給される遊技球をカウントスプロケットで受け取る賞球排出機構と、上タンクから賞球排出機構に供給される球の通路に対する球の有無を検出する賞球検出スイッチと、球の上タンクから賞球排出機構に供給される通路に対する球の有無を検出するタンクスイッチと、上タンクから賞球排出機構に供給される球の通路に球詰まり対応器具と、球詰まり対応器具のモータを制御する制御装置とを備え、タンクスイッチと球詰まり対応器具と賞球検出スイッチとが球の上タンクから賞球排出機構に供給される方向の上流側から下流側に順に配置されるように上タンクから賞球排出機構に供給される球の通路に対して設けられており、球の有無を検出するスイッチからの検出信号が制御装置に入力された場合、制御装置が球詰まり対応器具のモータを回転駆動して球詰まり対応器具を作動させた後に上記球詰まり対応器具のモータの回転駆動を停止するパチンコ機の球詰まり解消装置。
　
　相違点
　（Ａ）上タンクと、賞球排出機構と、賞球検出スイッチと、タンクスイッチと、球詰まり対応器具とが、本願補正発明では、内枠の裏面に設けられているのに対し、引用発明１では、上タンク（貯留タンク８１１）と賞球排出機構（球排出装置２００）とは裏機構を構成するもので、賞球検出スイッチ（球詰まり検出器４２０）と球詰まり対応器具（球崩し装置４３０）とが裏機構を構成する球の通路（誘導樋８１２）に設置され、タンクスイッチ（球無し検出器４１０）は裏機構を構成する上タンク（貯留タンク８１１）に設置されている点。
　（Ｂ）球詰まり対応器具が、本願補正発明では、モータによるアンバランスウエイトの偏心回転運動で振動を発生するバイブレータ装置であるのに対し、引用発明１では、スプロケット４３１と該スプロケット４３１を回転させるモータ４３２とから構成され、種々の変形例としてモータを備えた装置が採用可能である点。
　（Ｃ）球詰まり対応器具のモータの回転駆動が、本願補正発明では、タンクスイッチからの球有検出信号と賞球検出スイッチからの球無検出信号とが入力された場合に行われるのに対し、引用発明１では、賞球検出スイッチ（球詰まり検出器４２０）からの球無検出信号（球無し状態の検出信号）が入力された場合に行われる点。
　（Ｄ）球詰まり対応器具のモータの回転駆動の停止が、本願補正発明では、モータの回転駆動の開始からの所定時間の経過または賞球検出スイッチからの下流側球有検出信号の入力かのいずれか早い方によって行われるのに対し、引用発明１では、賞球検出スイッチ（球詰まり検出器４２０）からの下流側球有検出信号（球有り状態の検出信号）の入力によって行われる点。
　
　そこで、上記相違点について検討する。
　相違点（Ａ）について　　
　パチンコ機に備えられた各種の部材を何処に設けるかは当該各種の部材の機能や当該各種の部材を制御する制御装置との関連性などを考慮して、当業者が適宜決定できる設計上の事項である。そして、引用発明１の裏機構を構成する上タンク、賞球排出機構、球の通路及びそれらに設けられた賞球検出スイッチ、球詰まり対応器具、タンクスイッチの各々が、パチンコ機の裏側に設けられていることは技術常識から明らかであり、またパチンコ機が枠状の部材を備えていることは通常の事項であるから、引用発明１に基づいて相違点（Ａ）に係る構成とすることは、当業者が容易になし得ることである。　
　相違点（Ｂ）について　
　引用発明２の「半月状板状体を有する振動モータ１３によって構成される振動手段１１」が、本願補正発明の「モータによるアンバランスウエイトの偏心回転運動で振動を発生するバイブレータ装置」に相当することは、当該技術分野における技術常識から明らかである。したがって、種々の変形例としてモータを備えた球詰まり対応器具が記載されている引用発明１に上記引用発明２を適用し、相違点（Ｂ）に係る構成とすることは、当業者が容易になし得たものである。
　相違点（Ｃ）について　
　引用発明１のタンクスイッチ（球無し検出器４１０）は上タンク（貯留タンク８１１）内に球が満たされているときには球有り状態を検出するものであるから、当該タンクスイッチが球有検出信号を出力する機能を有しているといえる。そして、上タンク内に球が満たされているときに球詰まり対応器具を作動させれば充分なパチンコ球数が下流側に流下するのに対し、タンクスイッチが球無検出信号を出力する、即ち上タンク内の球が無くなるか或は少なくなっている場合に、球詰まり対応器具を作動させると、下流側に流下する球が無い或は球数が少ないことは明らかであるから、球詰まり対応器具を作動させる効果を考慮して、上タンクに球が満たされているときに球詰まり対応器具を作動させることは、当然に予測できる事項である。　
　そうすると、タンクスイッチと賞球検出スイッチとを備えた引用発明１に基づいて、相違点（Ｃ）に係る構成とすることは当業者が容易になし得たものである。
　相違点（Ｄ）について　
　パチンコ機に備えられた役物などの部材を駆動するモータやソレノイドなどの駆動部材において、その駆動の停止が駆動の開始からの所定時間の経過または何らかの検出スイッチからの検出信号の入力のいずれか早い方によって行われるものは、例えば、遊技者が図柄の変動を停止させることが可能なスイッチを備えた図柄停止機構及び大当たり遊技中に開閉を繰り返す大入賞口の開閉機構のように、当該技術分野においては普通に採用されている停止手段であるから、賞球検出スイッチからの球有検出信号の入力によって球詰まり対応器具のモータの回転駆動の停止が行われる引用発明１に当該普通に採用されている停止手段を適用し、相違点（Ｄ）に係る構成とすることは、当業者が容易になし得たものである。
　　
　また、効果においても、本願補正発明が格別の効果を奏するものとは認められない。
　
　したがって、本願補正発明は、引用発明１及び２に基づいて当業者が容易に発明をすることができたものであるから、特許法第２９条第２項の規定により、特許出願の際独立して特許を受けることができないものである。
　
　（う）むすび
　以上のとおり、本件補正は、上記改正前の特許法第１２６条第５項の規定に違反するものであり、同法第１５９条第１項で準用する同法第５３条第１項の規定により却下されるべきものである。
　
第三、本願発明について
　平成１９年４月１６日付けの手続き補正は上記のとおり却下されることとなったので、本願の請求項１乃至４に係る発明は、上記平成１８年９月２１日付けで補正された明細書の記載からみて、その特許請求の範囲の請求項１乃至４に記載されたとおりのものと認められるところ、その請求項１に記載された発明は、以下のとおりのものである。
　「　内枠の裏面に、補給系統から供給される遊技球を貯める上タンクと、上タンクから自重で供給される遊技球をカウントスプロケットで受け取る賞球排出機構と、上タンクから賞球排出機構に供給される球の通路に対する球の有無を検出する賞球検出スイッチと、球の上タンクから賞球排出機構に供給される通路に対する球の有無を検出するタンクスイッチと、上タンクから賞球排出機構に供給される球の通路にモータによるアンバランスウエイトの偏心回転運動で振動を発生するバイブレータ装置と、タンクスイッチからの上流側球有検出信号と賞球検出スイッチからの下流側球無検出信号とにより上タンクから賞球排出機構に供給される球の通路に球詰まりの発生したことを判定する判定手段と、この判定手段からの球詰まりの発生の判定によりバイブレータ装置のモータを所定時間回転駆動してバイブレータ装置を振動させる振動開始手段とを備え、タンクスイッチとバイブレータ装置と賞球検出スイッチとが、球の上タンクから賞球排出機構に供給される方向の上流側から下流側に順に配置されるように、上タンクから賞球排出機構に供給される球の通路に対して設けられたことを特徴とするパチンコ機の球詰まり解消装置。」（以下、「本願発明」という。）
　
　（あ）引用刊行物に記載された発明
　原査定の拒絶理由通知に引用された刊行物及びその記載事項は前記「第二、（３）」に記載したとおりである。
　
　（い）本願発明と引用発明１との比較・検討
　（い−１）引用発明１の「球」は、本願発明の「遊技球」に相当し、以下同様に、「貯留タンク８１１」は「上タンク」に、「球送り部材２２０」は「カウントスプロケット」に、「球排出装置２００」は「賞球排出機構」に、「誘導樋８１２および誘導樋８４０」は「上タンクから賞球排出機構に供給される球の通路」及び「球の上タンクから賞球排出機構に供給される通路」に、「球詰まり検出器４２０」は「賞球検出スイッチ」に、「球無し検出器４１０」は「タンクスイッチ」に、「モータ４３２」は「モータ」に、「パチンコ遊技機１０」は「パチンコ機」に、それぞれ相当する。
　（い−２）引用発明１の「スプロケット４３１と該スプロケット４３１を回転させるモータ４３２とから構成されている球崩し装置４３０」と本願発明の「モータによるアンバランスウエイトの偏心回転運動で振動を発生するバイブレータ装置」とを比較すると両者は球詰まりが検出されると作動するものであるから「球詰まり対応器具」において一致する。
　（い−３）引用発明１の「貯留タンク８１１」には「管理装置からの指令で球の補給がなされ」るから、本願発明の「補給系統から供給される遊技球を貯める上タンク」に相当する技術事項を有していることは当該分野の技術常識から明らかである。
　（い−４）引用発明１の「貯留タンク８１１内から流下する球を整列させて前記球排出装置２００の直上の誘導樋８４０まで誘導する誘導樋８１２」及び「貯留タンク８１１中の球が誘導樋８１２および誘導樋８４０を介して球排出樋２５０の２条の排出通路２５９ａ，２５９ｂ中に流入すると、その球は球送り部材２２０の左右のスプロケット２２１，２２２によりストップされ」について検討すると、「貯留タンク８１１内から流下する球」が自重で流下することは技術常識から明らかであり、当該球は球排出装置２００の直上の誘導樋８４０まで誘導されるのであるから、引用発明１は本願発明の「上タンクから自重で供給される遊技球をカウントスプロケットで受け取る賞球排出機構」に相当する技術事項を有しているといえる。
　（い−５）引用発明１の「貯留タンク８１１の下流側端壁部には球無し検出器４１０が設置され」及び「誘導樋８１２の下流側底部に、・・・球詰まり検出器４２０が設置される一方、その上流側端部に、・・・球崩し装置４３０が設置され」について検討すると、「貯留タンク８１１内から流下する球」は誘導樋８１２により「球排出装置２００の直上の誘導樋８４０まで誘導」される、つまり「上流側に貯留タンク８１１が下流側に誘導樋８１２が配置され、球無し検出器４１０と球崩し装置４３０と球詰まり検出器４２０とが上流側から下流側に順に配置される」のであるから、引用発明１と本願発明とは「タンクスイッチと球詰まり対応器具と賞球検出スイッチとが、球の上タンクから賞球排出機構に供給される方向の上流側から下流側に順に配置されるように、上タンクから賞球排出機構に供給される球の通路に対して設けられた」に相当する技術事項を有する点で一致する。
　（い−６）引用発明１の「誘導樋８１２の上流部の球詰まりなどで検出片４２２上に球が無くなると、球無し状態が検出され、この検出信号が前記球排出制御装置６００に送られ、その球排出制御装置６００からの指令でモータ４３２が作動されてスプロケット４３１が回転すると、このスプロケット４３１の回転により誘導樋８１２の上流側の球が崩されて球詰まりが解除され」の事項について検討すると、引用発明１の「球詰まり検出器４２０」は検出片４２２の回動により、検出片４２２上の球の有無の状態を検出するものであって、上流部に球詰まりが発生すると球無し検出信号を球排出制御装置６００に送るものであるから、引用発明１は本願発明の「賞球検出スイッチからの下流側球無検出信号」により「上タンクから賞球排出機構に供給される球の通路に球詰まりの発生したことを判定する判定手段」に相当する技術事項を有しているといえる。また、引用発明１の「球崩し装置４３０」は、球排出制御装置６００からの指令でモータ４３２を作動させて誘導樋８１２の上流側の球詰まりを解除するものであるから、引用発明１と本願発明とは「判定手段からの球詰まりの発生の判定により球詰まり対応器具のモータを回転駆動して球詰まり対応器具を作動させる作動開始手段」を備える点で一致する。
　（い−７）引用発明１の「パチンコ遊技機１０に設置された球崩し装置４３０」は、誘導樋８１２の上流側の球詰まりを解除するものであるから、引用発明１は本願発明の「パチンコ機の球詰まり解消装置」に相当する事項を備えているといえる。
　　　
　そうすると、両者の一致点及び相違点は次のとおりである。
　一致点
　補給系統から供給される遊技球を貯める上タンクと、上タンクから自重で供給される遊技球をカウントスプロケットで受け取る賞球排出機構と、上タンクから賞球排出機構に供給される球の通路に対する球の有無を検出する賞球検出スイッチと、球の上タンクから賞球排出機構に供給される通路に対する球の有無を検出するタンクスイッチと、上タンクから賞球排出機構に供給される球の通路に球詰まり対応器具と、賞球検出スイッチからの下流側球無検出信号により上タンクから賞球排出機構に供給される球の通路に球詰まりの発生したことを判定する判定手段と、この判定手段からの球詰まりの発生の判定により球詰まり対応器具のモータを回転駆動して球詰まり対応器具を作動させる作動開始手段とを備え、タンクスイッチと球詰まり対応器具と賞球検出スイッチとが、球の上タンクから賞球排出機構に供給される方向の上流側から下流側に順に配置されるように、上タンクから賞球排出機構に供給される球の通路に対して設けられたことを特徴とするパチンコ機の球詰まり解消装置。
　
　相違点
　（１）上タンクと、賞球排出機構と、賞球検出スイッチと、タンクスイッチと、球詰まり対応器具と、判定手段と、振動開始手段とが、本願発明では、内枠の裏面に備えられているのに対し、引用発明１では、上タンク（貯留タンク８１１）と賞球排出機構（球排出装置２００）とは裏機構を構成するもので、賞球検出スイッチ（球詰まり検出器４２０）と球詰まり対応器具（球崩し装置４３０）とが裏機構を構成する球の通路（誘導樋８１２）に設置され、タンクスイッチ（球無し検出器４１０）は裏機構を構成する上タンク（貯留タンク８１１）に設置され、判定手段と振動開始手段とは何処に備えられているのか明らかでない点。
　（２）球詰まり対応器具が、本願発明では、モータによるアンバランスウエイトの偏心回転運動で振動を発生するバイブレータ装置であるのに対し、引用発明１では、スプロケット４３１と該スプロケット４３１を回転させるモータ４３２とから構成され、種々の変形例としてモータを備えた装置が採用可能である点。
　（３）球詰まりの発生の判定が、本願発明では、タンクスイッチからの上流側球有検出信号と賞球検出スイッチからの下流側球無検出信号とにより行われるのに対し、引用発明１では、賞球検出スイッチ（球詰まり検出器４２０）からの下流側球無検出信号（球無し状態の検出信号）により行われる点。
　（４）作動開始手段による球詰まり対応器具の作動が、本願発明では、所定時間振動させるものであるのに対し、引用発明１では、賞球検出スイッチ（球詰まり検出器４２０）から下流側球有検出信号（球有り状態の検出信号）が送られるまで行われる点。
　　
　そこで、上記相違点について検討する。
　相違点（１）について　　
　パチンコ機に備えられた各種の部材を何処に設けるかは当該各種の部材の機能や当該各種の部材を制御する制御装置との関連性などを考慮して、当業者が適宜決定できる設計上の事項である。そして、引用発明１の裏機構を構成する上タンク、賞球排出機構、球の通路及びそれらに設けられた賞球検出スイッチ、球詰まり対応器具、タンクスイッチの各々が、パチンコ機の裏側に設けられていることは技術常識から明らかであり、またパチンコ機が枠状の部材を備えていることは通常の事項であるから、引用発明１に基づいて相違点（１）に係る構成とすることは、当業者が容易になし得ることである。　
　相違点（２）について　
　相違点（２）についての検討内容は、上記第二、（３）（い）における「相違点（Ｂ）について」の検討内容と同じであるから、援用する。
　相違点（３）について　
　引用発明１のタンクスイッチ（球無し検出器４１０）は上タンク（貯留タンク８１１）内に球が満たされているときには球有り状態を検出するものであるから、球有検出信号を出力する機能を有しているといえる。また、同タンクスイッチは球が無くなるか或は少なくなり球無し状態を検出したときには、その検出信号が管理装置に送られるものであるから、上タンク内に球が無い場合も当然に想定され、この場合には、引用発明１の賞球検出スイッチ（球詰まり検出器４２０）からの下流側球無検出信号（球無し状態の検出信号）が検出されても上流側に球が無く球詰まりが発生していない場合があり得ることは当業者が当然に予測できる事項である。そうすると、判定手段による判定を正確にするために複数のスイッチからの検出信号を用いることは普通に行われている技術事項であることを併せて考慮すれば、タンクスイッチと賞球検出スイッチとを備えた引用発明１に基づいて、相違点（３）に係る構成とすることは当業者が容易になし得たものである。
　相違点（４）について　　　
　パチンコ機に備えられた役物などの部材を駆動するモータやソレノイドなどの駆動部材において、その駆動が所定時間行われるものは、例えば、複数の図柄が変動する図柄変動装置及び所定時間だけ開放する入賞口のように、当該技術分野においては普通に採用されている技術事項であるから、当該技術事項を引用発明１に適用し、相違点（４）に係る構成とすることは、当業者が容易になし得たものである。
　　
　また、効果においても、本願補正発明が格別の効果を奏するものとは認められない。
　　
　（う）むすび
　以上のとおり、本願発明は、引用発明１及び２に基づいて当業者が容易に発明をすることができたものであるから、本願の他の請求項に係る発明について検討するまでもなく、特許法第２９条第２項の規定により、特許を受けることができない。
　
　よって、結論のとおり審決する。